(57)【要約】      （修正有）【課題】個人の健康管理に必要なカード類や書類等を極めて効率良くファイルすることが可能で、必要なときに必要なカード類や書類を簡単に取り出すことができる健康管理用ファイルを提供する。【解決手段】表紙１０の内側に、カード状の保険証や診察カードを収納する収納ポケット２０Ａが複数個併設されたカード類収納体２０を設ける。透明フィルムにて形成され処方薬の説明書や個人の検診データ表を収納する袋状を成した複数枚の書類収納体３０を設ける。合成樹脂からなる見開きの表紙１０の内側に、処方薬説明書用収納体と、健康診断書用収納体と、領収書用収納体と、各種病院リスト用収納体と、緊急連絡リスト用収納体とを綴じる。【選択図】図１
0003145224.tif 000002
【実用新案登録請求の範囲】
【請求項１】
透明シート又は透明フィルムにて形成され、カード状の保険証や各種病院の診察カードを収納する収納ポケットが複数個併設されたカード類収納体と、透明フィルムにて形成され、処方薬の説明書や個人の検診データ表を収納する袋状を成した複数枚の書類収納体とが、合成樹脂からなる見開きの表紙の内側に装着された健康管理用ファイルであって、書類収納体は、処方薬の説明書を保管する処方薬説明書用収納体と、健康診断書を保管する健康診断書用収納体と、医療控除用の領収書を保管する領収書用収納体と、各種病院の住所と電話番号とが記載されたリストを保管する各種病院リスト用収納体と、緊急連絡先の住所氏名電話番号が記載されたリストを保管する緊急連絡リスト用収納体とからなることを特徴とする健康管理用ファイル。
【請求項２】
前記カード類収納体は、透明シートにて形成された固定用カード類収納体と、透明フィルムにて形成された追加用カード類収納体とから成り、固定用カード類収納体は前記表紙の内側面に接着手段または溶着手段にて固定され、追加用カード類収納体は前記書類収納体と共に前記表紙内に綴じられた請求項１記載の健康管理用ファイル。
【請求項３】
前記カード類収納体と前記書類収納体とは、前記表紙の内側に、各収納体の一側縁部がわが接着手段又は溶着手段にて綴じられた請求項１又は２記載の健康管理用ファイル。
【請求項４】
前記表紙の内側に連結金具を装着し、前記カード類収納体と前記書類収納体との各一側縁部がわを該連結金具にて着脱自在に連結するように綴じられた請求項１乃至３いずれか記載の健康管理用ファイル。
【請求項５】
前記書類収納体は、前記表紙の内側に沿って開口する開口部が形成され、該開口部から前記各書類を収納するように設けられた請求項１又は３又は４記載の健康管理用ファイル。
【考案の詳細な説明】
【技術分野】
【０００１】
本考案は、個人の健康管理に必要なカードや書類等を極めて効率良くファイルすることが可能な健康管理用ファイルに関する。
【背景技術】
【０００２】
一般に、個人の健康管理に必要なものといえば、健康保険被保険者証（以下、保険証と称する）や、通院する病院の診察カードや処方薬の説明書、あるいは健康診断により得られた個人データ等がある。これらの書類やカード類は、通常別々に保管されることが多い。たとえば、カード状の保険証や診察カード等は、他のカード類と共に保管され、処方薬の説明書や個人データ等は、各種書類と共に保存されるが如くである。
【０００３】
一方、特許文献１にファイル用シートが記載されている。このファイルは、二枚のプラスチックシート間に書類や資料などを挟んで保存するものである。このようなファイルに処方薬の説明書、あるいは健康診断により得られた個人データ等を保存することも一般に行われている。
【特許文献１】実公平７−３７８９９号公報
【考案の開示】
【考案が解決しようとする課題】
【０００４】
ところが、前述の保険証や診察カード類、あるいは個人データ等は、個人の健康管理上、同じファイルに一まとめにして保存しておくほうが好ましく、従来の如く、カード類や保険証などを別々に保存しておくと、初診時や診療期間中に月が替わった後などのように、保険証を提示する必要がある場合に、その都度保険証を探すことが多い。
【０００５】
また、特許文献１に記載されているような二枚のプラスチックシート間に書類やカード等を保存しておくと、カード類と書類との大きさが違いすぎるので、ファイル内のカードが探しにくくなると共に、書類を抜き出す際にカード類がファイルから抜け落ちて紛失するおそれもあった。
【０００６】
そこで本考案は、上述の課題を解消すべく案出されたもので、個人の健康管理に必要なカード類や書類等を極めて効率良くファイルすることが可能で、必要なときに必要なカード類や書類を簡単に取り出すことができる健康管理用ファイルの提供を目的とするものである。
【課題を解決するための手段】
【０００７】
本考案の第１の手段は、透明シート又は透明フィルムにて形成され、カード状の保険証や各種病院の診察カードを収納する収納ポケット２０Ａが複数個併設されたカード類収納体２０と、透明フィルムにて形成され、処方薬の説明書や個人の検診データ表を収納する袋状を成した複数枚の書類収納体３０とが、合成樹脂からなる見開きの表紙１０の内側に装着された健康管理用ファイルであって、書類収納体３０は、処方薬の説明書を保管する処方薬説明書用収納体３１と、健康診断書を保管する健康診断書用収納体３２と、医療控除用の領収書を保管する領収書用収納体３３と、各種病院の住所と電話番号とが記載されたリストを保管する各種病院リスト用収納体３４と、緊急連絡先の住所氏名電話番号が記載されたリストを保管する緊急連絡リスト用収納体３５とからなる。
【０００８】
第２の手段の前記カード類収納体２０は、透明シートにて形成された固定用カード類収納体２１と、透明フィルムにて形成された追加用カード類収納体２２とから成り、固定用カード類収納体２１は前記表紙１０の内側面に接着手段または溶着手段にて固定され、追加用カード類収納体２２は前記書類収納体３０と共に前記表紙１０内に綴じられている。
【０００９】
第３の手段は、前記カード類収納体２０と前記書類収納体３０とは、前記表紙１０の内側に、各収納体の一側縁部がわが接着手段又は溶着手段にて綴じられたものである。
【００１０】
第４の手段は、前記表紙１０の内側に連結金具４０を装着し、前記カード類収納体２０と前記書類収納体３０との各一側縁部がわを該連結金具４０にて着脱自在に連結するように綴じられている。
【００１１】
第５の手段の前記書類収納体３０は、前記表紙１０の内側に沿って開口する開口部３０Ａが形成され、該開口部３０Ａから前記各書類を収納するように設けられたことを課題解消のための手段とする。
【考案の効果】
【００１２】
本考案の請求項１の如く、カード状の保険証や各種病院の診察カードを収納する収納ポケットが複数個併設されたカード類収納体２０と、透明フィルムにて形成され、処方薬の説明書や個人の検診データ表を収納する袋状を成した複数枚の書類収納体３０とを設けたことで、カード類や書類等を効率良くファイルすることができる。
【００１３】
しかも、書類収納体３０は、処方薬の説明書を保管する処方薬説明書用収納体３１と、健康診断書を保管する健康診断書用収納体３２と、医療控除用の領収書を保管する領収書用収納体３３と、各種病院の住所と電話番号とが記載されたリストを保管する各種病院リスト用収納体３４と、緊急連絡先の住所氏名電話番号が記載されたリストを保管する緊急連絡リスト用収納体３５とからなるので、必要なときに必要な書類を簡単に取り出すことができる。
【００１４】
請求項２によると、固定用カード類収納体２１は前記表紙１０の内側面に接着手段または溶着手段にて固定され、追加用カード類収納体２２は前記書類収納体３０と共に前記表紙１０内に綴じられているので、カード類の中でも、保険証やよく使用する診察カードの如き重要なカードを固定用カード類収納体２１に収納し、使用頻度の少ない診察カードや医療関係者の名刺などを追加用カード類収納体２２に収納するなど、使い分けることが可能になる。この結果、必要なときに必要なカード類を簡単に取り出すことができる。
【００１５】
請求項３によると、前記カード類収納体２０と前記書類収納体３０とは、前記表紙１０の内側に、各収納体の一側縁部がわが接着手段又は溶着手段にて綴じられたものであるから、カード類収納体２０や書類収納体３０の脱落等を防止する。この結果、特定の個人のファイルとして、長期間使用することが可能になる。
【００１６】
また、請求項４により、前記表紙１０の内側に連結金具４０を装着し、前記カード類収納体２０と前記書類収納体３０との各一側縁部がわを該連結金具４０にて着脱自在に連結するように綴じられているので、カード類収納体２０や書類収納体３０の増減を容易に行うことができる。したがって、例えば家族の構成員が増えたり減ったりする場合でも対応することができるので、家族用の健康ファイルとして利用する際に極めて有効である。
【００１７】
更に、請求項５の如く、書類収納体３０に、前記表紙１０の内側に沿って開口する開口部３０Ａが形成され、該開口部３０Ａから前記各書類を収納するように設けたことにより、たとえ本考案ファイルを逆さまに持っても書類等が落下することはない。そのため、収納した重要な個人データ等の紛失を防止するものである。
【００１８】
このように本考案によると、個人の健康管理に必要なカード類や書類等を極めて効率良くファイルすることが可能で、必要なときに必要なカード類や書類を簡単に取り出すことができるなどといった実用上有益な種々の効果を奏するものである。
【考案を実施するための最良の形態】
【００１９】
本考案の最良の形態は、透明シートにて形成され、カード状の保険証や各種病院の診察カードを収納する収納ポケットが複数個併設された固定用カード類収納体２１を、合成樹脂製の表紙１０の内側面に溶着手段にて固定する。透明フィルムにて形成され、カード類収納体２０を、合成樹脂からなる見開きの表紙１０の内側に装着する。透明フィルムにて形成され、処方薬の説明書や個人の検診データ表を収納する袋状を成した複数枚の書類収納体３０を合成樹脂からなる見開きの表紙１０の内側に装着する。書類収納体３０は、処方薬の説明書を保管する処方薬説明書用収納体３１と、健康診断書を保管する健康診断書用収納体３２と、医療控除用の領収書を保管する領収書用収納体３３と、各種病院の住所と電話番号とが記載されたリストを保管する各種病院リスト用収納体３４と、緊急連絡先の住所氏名電話番号が記載されたリストを保管する緊急連絡リスト用収納体３５とからなる。前記書類収納体３０に、前記表紙１０の内側に沿って開口する開口部３０Ａを形成し、該開口部３０Ａから前記各書類を収納するように設けることで、当初の目的を達成するものである。
【実施例】
【００２０】
本考案ファイルの基本構成は、表紙１０、カード類収納体２０、書類収納体３０からなる。
【００２１】
表紙１０は、合成樹脂からなる見開き状に形成されたもので、後述するカード類収納体２０や書類収納体３０を、接着手段又は溶着手段、あるいは連結金具４０を介して表紙１０の内側に固定するものである。
【００２２】
カード類収納体２０は、透明シート又は透明フィルムにて形成されるもので、カード状の保険証や各種病院の診察カード等を収納する収納ポケット２０Ａが複数個併設されている（図１参照）。図示のカード類収納体２０は、透明シートにて形成された固定用カード類収納体２１と、透明フィルムにて形成された追加用カード類収納体２２とから成る。
【００２３】
固定用カード類収納体２１は、前記表紙１０の内側面に接着手段または溶着手段にて固定されるもので、特に重要な保険証や検診カード等を収納するに適している。図示例では、この固定用カード類収納体２１と共に、フラップ５１付きの収納袋体５０を表紙１０の内側面に固定してあり、例えば旧タイプの保険証など形状が特殊なものを収納できるようにしている。
【００２４】
一方、追加用カード類収納体２２は、書類収納体３０と同様の透明フィルムにて形成されており、書類収納体３０と共に綴じられるものである（図２参照）。この追加用カード類収納体２２には、使用頻度の少ない診察カードや、家族の構成員ごとの保険証や診察券などを個別に収納することもできる。例えば、家長の保険証や診察券を固定用カード類収納体２１に収納し、配偶者や子供たちの診察券等を追加用カード類収納体２２に収納することが可能である。
【００２５】
書類収納体３０は、透明フィルムにて形成され、処方薬の説明書や個人の検診データ表を収納する袋状を成している（図２参照）。この書類収納体３０は、収納保管する書類別に分けられている（図３参照）。例えば処方薬説明書用収納体３１は処方薬の説明書を保管し、健康診断書用収納体３２は健康診断書を保管する。更に領収書用収納体３３は医療控除用の領収書を保管し、各種病院リスト用収納体３４は現在通院中の病院や通院していないが近隣の各種病院の住所と電話番号とが記載されたリストを保管し、緊急連絡リスト用収納体３５は緊急連絡先の住所氏名電話番号が記載されたリストを保管するものである。図示例では、保管する書類を示すインデックス３０Ｂを設けている。また、このインデックス３０Ｂを予めシール状に形成しておき、書類収納体３０が増えるごとに目的のインデックス３０Ｂを貼り付けて使用することも可能である（図４参照）。このほか、表紙１０の裏面に健康資料用収納体３６を設け、健康に関するさまざまなパンフレットや本、病院からの案内など、健康管理に必要な各種の資料を保管することも可能である（図５参照）。
【００２６】
これらの書類収納体３０は、前記表紙１０の内側に沿って開口する開口部３０Ａが形成されており、この開口部３０Ａから前記各書類を収納するように設けている（図２参照）。このような開口部３０Ａを形成することで、書類収納体３０に収納した書類は、たとえ本考案ファイルを逆さまして振っても書類収納体３０から抜け落ちることがなくなる。
【００２７】
図１、図２に示す追加用カード類収納体２２や記書類収納体３０は、表紙１０の内側に、各収納体の一側縁部がわを接着手段又は溶着手段にて綴じた状態を示している。このように綴じるのは、主に、カードや資料を個人別に保管するのに好適であり、本考案ファイルを長期間使用することができる。
【００２８】
一方、図４には、表紙１０の内側に連結金具４０を装着した実施例が示されている。この実施例によると、追加用カード類収納体２２と書類収納体３０との各一側縁部がわを該連結金具４０にて着脱自在に連結するように綴じるものである。このように、追加用カード類収納体２２や書類収納体３０を着脱自在にすることで、主に、家族のカードや資料を保管するのに好適である。この連結金具４０は、所謂バインダー金具が使用されるもので、図示例の２穴タイプに限らず３０穴タイプなど任意の連結金具４０を使用することができる。
【００２９】
尚、図示例の各構成は、本考案の一実施例に過ぎず、表紙１０やカード類収納体２０、書類収納体３０等の形状や色彩の変更、透明感の選択や材質の変更などは、自由に選択できるものであり、本考案の要旨を変更しない範囲において変更することができる。
【図面の簡単な説明】
【００３０】
【図１】本考案の固定用カード類収納体と追加用カード類収納体との一実施例を示す正面図である。
【図２】本考案の追加用カード類収納体と書類収納体との一実施例を示す正面図である。
【図３】本考案の書類収納体の一実施例を示す正面図である。
【図４】本考案の追加用カード類収納体と書類収納体との他の実施例を示す正面図である。
【図５】本考案の書類収納体の他の実施例を示す正面図である。
【符号の説明】
【００３１】
１０  表紙
２０  カード類収納体
２０Ａ  収納ポケット
２１  固定用カード類収納体
２２  追加用カード類収納体
３０  書類収納体
３０Ａ  開口部
３０Ｂ  インデックス
３１  処方薬説明書用収納体
３２  健康診断書用収納体
３３  領収書用収納体
３４  各種病院リスト用収納体
３５  緊急連絡リスト用収納体
３６  健康資料用収納体
４０  連結金具
５０  収納袋体
【図１】
0003145224.tif 000003
【図２】
0003145224.tif 000004
【図３】
0003145224.tif 000005
【図４】
0003145224.tif 000006
【図５】
0003145224.tif 000007